(57)【要約】【課題】日常生活において特段に支障をきたすことなく普通に安全に使用することが可能でありながら、頭部の不正姿勢を有効に矯正することができる姿勢矯正メガネを提供する。【解決手段】レンズ１０と、使用者が頭部に掛けることでレンズ１０を使用者の眼前に保持するフレーム２０とを備えた姿勢矯正メガネ１において、レンズの正面側の表面と背面側の表面とのうちの少なくとも一方におけるレンズ１０の中心Ｃから下側にずれた位置に、左右方向に延びてレンズ１０を２つの領域に分ける難視領域３０を設けた。【選択図】図１
2012073485.tif 000002
【特許請求の範囲】
【請求項１】
レンズと、使用者が頭部に掛けることで前記レンズを前記使用者の眼前に保持するフレームとを備えた姿勢矯正メガネにおいて、
前記レンズの正面側の表面と背面側の表面とのうちの少なくとも一方における前記レンズの中心からずれた位置に、前記レンズを２つの領域に分ける難視領域を設けた、
ことを特徴とする姿勢矯正メガネ。
【請求項２】
前記難視領域は、前記レンズにおける前記難視領域以外の領域よりも光の透過率が低い領域である、
ことを特徴とする請求項１に記載の姿勢矯正メガネ。
【請求項３】
前記難視領域は、前記レンズの中心に近い側の端部が、前記レンズの中心から前記使用者の眼球の水晶体の半径に相当する距離だけずれた位置に配置されるように設けられている、
ことを特徴とする請求項２に記載の姿勢矯正メガネ。
【請求項４】
前記難視領域は、前記レンズの中心よりも下側において左右方向に延設されて前記レンズを上領域と下領域とに分ける、
ことを特徴とする請求項３に記載の姿勢矯正メガネ。
【請求項５】
前記難視領域は、前記レンズの中心よりも上側において左右方向に延設されて前記レンズを上領域と下領域とに分ける、
ことを特徴とする請求項３に記載の姿勢矯正メガネ。
【請求項６】
前記難視領域は、前記レンズの中心よりも左側において上下方向に延設されて前記レンズを左領域と右領域とに分ける、
ことを特徴とする請求項３に記載の姿勢矯正メガネ。
【請求項７】
前記難視領域は、前記レンズの中心よりも右側において上下方向に延設されて前記レンズを左領域と右領域とに分ける、
ことを特徴とする請求項３に記載の姿勢矯正メガネ。
【請求項８】
前記難視領域は、前記レンズの前記表面を粗面加工することによって形成されている、
ことを特徴とする請求項１ないし７のいずれか１項に記載の姿勢矯正メガネ。
【請求項９】
前記難視領域は、剥離可能な粘着剤が塗布されて前記レンズよりも光透過率が低いシール状部材を前記レンズの前記表面に貼着することによって形成されている、
ことを特徴とする請求項１ないし７のいずれか１項に記載の姿勢矯正メガネ。
【発明の詳細な説明】
【技術分野】
【０００１】
本発明は、医療用のメガネに関し、詳しくは、使用者の視野を調整して使用者の頭部の姿勢を矯正することができる姿勢矯正メガネに係る。
【背景技術】
【０００２】
日常生活において、頭部の姿勢が正しくない場合には、種々の障害が発生する。
例えば、長時間のデスクワークや運動不足、全身筋肉の脆弱化等によって、目線が上向きあるいは下向きに固定されると、頭部の位置が本来あるべき位置からずれてしまう。すると、その不自然な位置にある頭部を支える頸椎や脊椎に異常な負荷がかかるとともに、全身の姿勢が崩れてしまい、種々の全身障害を引き起こす原因となる。
【０００３】
また、例えば、上向き視線（頭部の下向き姿勢）は、眼圧の上昇を招き、さらに、肺を圧迫することからガス交換不良やこれに伴う熱の排出不良等の呼吸器障害の一因にもなる。
【０００４】
また、下向き視線（頭部の上向き姿勢）は、例えば、成長期の子供にあっては、上顎に対する舌圧の低下を招き、その結果、舌圧による上顎の外側への付勢力が不足するため、上顎の正常な前方成長を阻害することになる。
【０００５】
また、左向き視線（頭部の右回転姿勢）や右向き視線（頭部の左回転姿勢）は、脊椎の捩じれや、左右一方の筋肉の異常疲労を招きやすい
【０００６】
このように、頭部に姿勢の崩れ（不正姿勢）は、眼科だけではなく、歯科、内科、外科に及ぶ全身の疾患の一因となっている。
【０００７】
ところで、頭部の姿勢を矯正するためのメガネが種々提案されている（例えば、特許文献１，２，３参照）。
【０００８】
このうち特許文献１のものは、レンズにおける上下方向の略中央に、左右方向に延びる帯状の透明領域を設け、この透明領域の上側と下側とは、色付きの領域としている。ゴルフのスイング時に、ボールが帯状の透明領域内に入るようにすることで、頭部の動きを安定させて不要な動きを排除するものである。
【０００９】
また、特許文献２のものは、遮光部材によってレンズを構成し、レンズの中心に左右方向に延びるスリットを設け、このスリットを介してボールを見るようにすることで、目線の傾き、方向を簡単に確認することができ、基本姿勢を簡単に身につけるようにするものである。
【００１０】
そして、特許文献３のものは、レンズの中央に円形の透光部を設けそれ以外を遮光部とすることで、視界を狭めて、プレーヤーの集中力を高めるとともに、ゴルフ練習時等のヘッドアップ等を防止するものである。
【先行技術文献】
【特許文献】
【００１１】
【特許文献１】実開平５−６３５７５号公報
【特許文献２】特開平１０−１６５５５２号公報
【特許文献３】特開平２００３−２９５１２７号公報
【発明の概要】
【発明が解決しようとする課題】
【００１２】
しかしながら、上述の特許文献１〜３は、ゴルフの練習等の限られた場面で使用するものであり、視野を積極的に狭めることによって、すなわち、普通に見える範囲を可能な限り狭くすることにより、大きな練習効果をあげるように構成されている。このため、例えば、階段の昇降や外出等を含む日常生活の中で使用することは、不自由であることはもちろん、安全性については、極端な場合には、危険を伴うおそれがある。
【００１３】
また、目には３つの筋肉があって、目がニュートラル状態にないとき、例えば、上目づかい、下目づかい、右目づかい、左目づかい等のときには、この３つの筋肉のうちの少なくとも1つに負荷がかかり、眼圧が上がってしまうという、問題もある。
【００１４】
すなわち、眼球は、筋により上下左右に回転する構造となっている。それぞれの筋は脳神経１２対のうち動眼神経・外転神経・滑車神経と３つの神経支配を受けている。また、眼球の後方部には同じく脳神経１２対のうちの１つである視神経があり、眼球は脳神経１２対のうち４対、つまり脳神経の３分の１を使用する重要な機関であることが伺える。例えば、上向き姿勢となった場合、前方を見るためには特定の方向に筋が収縮する必要がある。眼球の回転運動は最大±２５度程度と言われており、頭部の傾斜角度が２５度以上となると眼球は回転限界を超えて多大な歪み力が発生する。これにより視認画像に歪みが生じたり、眼球の変形圧力が増し眼圧の上昇が生じる。眼圧の上昇については、本発明者が実際に眼圧の変化を目線をかえて測定したところ、眼球を回転させた場合眼圧値が１８→２１、１７→２４（ｍｍＨｇ）等と変化することを確認した。一般に機械にて眼圧値を測定する場合、額とオトガイ部を固定して水平目線の状態にて計測するため、その個人の日常姿勢での眼圧値と一致しない場合が多々あるのではないかと思われる。同時に眼球形態の歪みにより乱視等の視覚障害や網膜の剥離などが生じる可能性もありうる。また、眼球の回転により神経突起の位置が眼窩内で移動していくが、この際、視神経並びに内在する動静脈血管が共に牽引されることとなる。神経はシナプスにより結合しているため牽引されるとシナプス間隙が大きくなり、伝達不良が生じる。また、血管も牽引されると実長が長くなると同時に内径は減少するため血流抵抗が増大し、血液の循環障害が増すことになる。このように頭位の傾斜に伴う眼球回転により目に関わる様々な機能障害が惹起される可能性が発明者の研究により演繹されている。
【００１５】
本発明は、上述した事情に鑑みてなされたものであり、日常生活において特段に支障をきたすことなく普通に安全に使用することが可能でありながら、頭部の不正姿勢を有効に矯正することができ、さらに、無理な目づかいを矯正して眼圧の上昇を押えることができる等、目に関わる様々な障害に対する予防並びに治療を行うことができる姿勢矯正メガネを提供することを目的とするものである。
【課題を解決するための手段】
【００１６】
（１）  上記目的を達成するために、本発明は、レンズと、使用者が頭部に掛けることで前記レンズを前記使用者の眼前に保持するフレームとを備えた姿勢矯正メガネにおいて、前記レンズの正面側の表面と背面側の表面とのうちの少なくとも一方における前記レンズの中心からずれた位置に、前記レンズを２つの領域に分ける難視領域を設けた、ことを特徴とする。
【００１７】
この構成によれば、使用者が頭部（顔部）に姿勢矯正メガネを掛けると、使用者の視界に難視領域が入り込むため、使用者は違和感を覚える。そして、使用者はおのずと違和感を軽減させて見ようとする。すなわち、レンズの全体領域のうちの、レンズの中心を基準として難視領域が設けてある側とは反対側で物を見ようとする。これにより、頭部の姿勢としては、難視領域がある側に向くことになる。例えば、難視領域がレンズの中心よりも下側にある場合、頭部の姿勢が正しい（真っすぐな）使用者が水平に物を見ると、難視領域が視野の下側に入るため違和感を覚える。そして、違和感を軽減しようとすると、レンズのうちの難視領域がない側、つまり上側を使用して水平に物を見ることになり、おのずと下向き姿勢となる。このように、正しい姿勢の使用者が、レンズの中心よりも下側に難視領域があるメガネを掛けると、下向き姿勢となる。したがって、もともと上向き姿勢の使用者が同様のメガネを掛けると、下向き気味となって姿勢が矯正される。同様に、メガネを使用する使用者は、難視領域がレンズの中心を基準として、上側にあるときは上向き気味に、左側にあるときは左向き（左回転）気味に、そして、右側にあるときは右向き（右回転）気味になる。つまり、レンズの中心からずれて難視領域が設けられている場合、そのメガネの使用者は、難視領域のある方向に向き気味となる。したがって、例えば、レンズの中心に対して難視領域が、下側、上側、左側、右側にずれているメガネを、この順に、上向き姿勢、下向き姿勢、左回転姿勢、右回転姿勢の使用者が使用することにより、それぞれ姿勢を矯正することが可能である。
【００１８】
また、難視領域は、中心からずれた領域の全体に設けるのではなく、レンズを２つの領域に分けるように設けられていて、難視領域を基準としてレンズの中心側はもちろん、中心から遠い側にもレンズとして普通に使用できる領域を残しているので、例えば、日常生活等において常時使用する場合であっても高い安全性を確保することができる。つまり、レンズの上下左右の端部近傍にも通常に見える視野を確保することができるので、日常生活において普通のメガネと同様に使用することが可能である。
【００１９】
さらに、無理な目づかいを矯正して眼圧の上昇を押えることができる。
（２）  上記構成において、前記難視領域は、前記レンズにおける前記難視領域以外の領域よりも光の透過率が低い領域である、ようにしてもよい。
【００２０】
この構成によれば、レンズに、難視領域として光の透過率が低い領域が設けられているので、使用者はこの領域が、視野に入って違和感を覚える。そして、この違和感を和らげるために、同方向を向きがちとなり、これにより、頭部の姿勢が矯正される。
【００２１】
（３）  上記構成において、前記難視領域は、前記レンズの中心に近い側の端部が、前記レンズの中心から前記使用者の眼球の水晶体の半径に相当する距離だけずれた位置に配置されるように設けられている、ようにしてもよい。
この構成によれば、難視領域は、レンズの中心を外しながら、中心に比較的近い位置に配置されるので、使用者に適度（必要で十分）な違和感を与える位置として好適である。
【００２２】
（４）  上記構成において、前記難視領域は、前記レンズの中心よりも下側において左右方向に延設されて前記レンズを上領域と下領域とに分ける、ようにしてもよい。
この構成によれば、使用者が上向き加減である場合、その使用者は、中心よりも下側に設けられた難視領域が視界に入ることに起因する違和感を軽減しようとして、下向き気味となるので頭部の姿勢が正しく矯正される。
【００２３】
（５）  上記構成において、前記難視領域は、前記レンズの中心よりも上側において左右方向に延設されて前記レンズを上領域と下領域とに分ける、ようにしてもよい。
この構成によれば、使用者が下向き加減である場合、その使用者は、中心よりも上側に設けられた難視領域が視界に入ることに起因する違和感を軽減しようとして、上向き気味となるので頭部の姿勢が正しく矯正される。
【００２４】
（６）  上記構成において、前記難視領域は、前記レンズの中心よりも左側において上下方向に延設されて前記レンズを左領域と右領域とに分ける、ようにしてもよい。
この構成によれば、使用者が右向き加減である場合、その使用者は、中心よりも左側に設けられた難視領域が視界に入ることに起因する違和感を軽減しようとして、左向き気味となるので頭部の姿勢が正しく矯正される。
【００２５】
（７）  上記構成において、前記難視領域は、前記レンズの中心よりも右側において上下方向に延設されて前記レンズを左領域と右領域とに分ける、ようにしてもよい。
この構成によれば、使用者が左向き加減である場合、その使用者は、中心よりも右側に設けられた難視領域が視界に入ることに起因する違和感を軽減しようとして、右向き気味となるので頭部の姿勢が正しく矯正される。
【００２６】
（８）  上記構成において、前記難視領域は、前記レンズの前記表面を粗面加工することによって形成されている、ようにしてもよい。
この構成によれば、難視領域がレンズの一部として構成されるので、難視領域が物理的に劣化したりするおそれが低く、外部環境の影響を受けにくい。
【００２７】
（９）  上記構成において、前記難視領域は、剥離可能な粘着剤が塗布されて前記レンズよりも光透過率が低いシール状部材を前記レンズの前記表面に貼着することによって形成されている、ようにしてもよい。
【００２８】
この構成によれば、レンズに対して難視領域を簡単に設けることができ、また、難視領域の位置変更を容易に行うことができ、さらに、難視領域が不要になった場合には簡単に取り除くことができる。
【発明の効果】
【００２９】
本発明によれば（本発明に係る姿勢矯正メガネによれば）、日常生活において特段に支障をきたすことなく普通に安全に使用することが可能でありながら、頭部の不正姿勢を有効に矯正し、ひいては頭部の不正姿勢に起因する全身の種々の疾患を予防することができる。
【図面の簡単な説明】
【００３０】
【図１】実施形態１の姿勢矯正メガネ１の正面図である。
【図２】図１のII−II線矢視図である。
【図３】実施形態２の姿勢矯正メガネ１の正面図である。
【図４】実施形態３の姿勢矯正メガネ１の正面図である。
【図５】実施形態４の姿勢矯正メガネ１の正面図である。
【発明を実施するための形態】
【００３１】
以下、本発明の実施形態を図面に基づき詳述する。なお、各図面において、同じ符号を付した部材等は、同じあるいは似た構成のものであり、これらについての重複説明は適宜省略するものとする。また、各図面においては、説明に不要な部材等は適宜、図示を省略している。なお、以下の説明において、左右の方向は、本発明に係る姿勢矯正メガネを掛ける使用者を基準に定めている。したがって、姿勢矯正メガネを正面から見た図１，図３〜図５においては、これらの図中での左右は、説明文中の左右とは逆になっている。
＜実施形態１＞
【００３２】
図１，図２を参照して、本発明を適用した実施形態１に係る姿勢矯正メガネ１について説明する。ここで、図１は、姿勢矯正メガネ１を正面側から見た図である。また、図２は、図１中のII−II線矢視図である。
【００３３】
これらの図に示すように、姿勢矯正メガネ１は、２枚のレンズ１０と、フレーム２０と、難視領域３０を構成するシール状部材３１とを備えて構成されている。
【００３４】
レンズ１０としては、普通に使用されるレンズを使用することができる。ここで、普通に使用されるレンズとは、使用者の視力を矯正するための、近視用、遠視用、遠近両用、乱視用のレンズ、あるいはこれらを適宜組み合わせたレンズをはじめ、使用者の特殊な事情に応じて個別に作製されたレンズや、度の入っていないレンズも含まれるものとする。
【００３５】
レンズ１０は、フレーム２０の一方のリム２１の略中央に中心Ｃを有している。ここで、レンズの中心Ｃとは、レンズ１０の物理的な中心であり、削り出す前の素材としての円形のレンズの中心である。この中心Ｃは、姿勢矯正メガネ１を作製する際に、使用者が姿勢矯正メガネ１を頭部（顔部）に掛けた状態で、使用者が遠方を見たときの瞳孔の中心に対応するように位置決めされている。なお、以下の説明では、裏表あるレンズ１０の外側の面（使用者の眼球から遠い側の面）を正面側の表面１１といい、内側の面（使用者の眼球から近い側の面）を背面側の表面１２というものとする。
【００３６】
フレーム２０は、２枚のレンズ１０がそれぞれ嵌め込まれる左右のリム２１，２１と、これら左右のリム２１，２１を連結するブリッジ２２と、リム２１，２１の内側部分にパッドアーム２３，２３を介して取り付けられたパッド２４，２４と、リム２１，２１の外側部分に開閉自在に連結されたテンプル２５とを有している。なお、フレームの材質や形状等については、その機能や使用者の嗜好等に応じて適宜に選択することができる。例えば、金属フレーム、プラスチックフレーム、ナイロンフレーム、枠なしフレーム等から任意のものを選択することができる。
【００３７】
難視領域３０としてのシート状部材３１は、光透過率の低いシートによって構成されている。ここで、光透過率が低いとは、上述のレンズ１０と比較した場合に、これよりも光透過率が低いという意味である。シート状部材３１としては、例えば、シート自体の光透過率が低いものや、透明のシートに多数のドットや砂地や梨地をプリントしたもの、さらには、多数の斜線や格子柄をプリントしたものを使用することができる。シート状部材３１としては、全体として光透過率が低く形成されていて、使用者が姿勢矯正メガネ１を掛けた際に、その視界の中に異物として視認することが可能であれば十分である。
【００３８】
シート状部材３１は、図示例では、左右方向に長い帯状に形成されていて、一方の面には剥離自在な粘着剤３２が塗布されている。シート状部材３１は、粘着剤３２を介して、レンズ１０の背面側の表面１２に貼着されている。シート状部材３１がプリントによって形成されている場合には、そのプリント面がレンズ１０側（粘着剤３２が塗布される側）に位置するようにするとよい。レンズ１０側の逆側に位置する場合には、プリント面が外側に露出されて、環境等による劣化が進みやすい。シート状部材３１は、その長手方向が左右方向を向くように、さらに、長手方向に沿った２つの端縁のうちの上側に位置する上端３１ａが、中心からＡの距離に配置されるように貼着されている。ここで、距離Ａは、使用者の眼球の水晶体の半径（不図示）と略等しくなる距離とする。すなわち、レンズ１０に貼着された状態のシート状部材３１は、上下方向の位置について、使用者が姿勢矯正メガネ１を装着した状態において、上端３１ａが使用者の水晶体の下端と略一致する位置に配置されるように構成されている。
【００３９】
シート状部材３１の左右方向の長さＬは、例えば、使用者の水晶体の直径よりも長く設定されている。これにより、姿勢矯正メガネ１を装着した使用者が、正面に対して、左側、あるいは右側に視線をずらした場合でも、シート状部材３１が有効に使用者の視界に入るようにして、使用者に違和感を覚えさせることが可能となる。
【００４０】
シート状部材３１の上下方向の長さ（幅）Ｗは、例えば、数ｍｍに設定するとよい。この幅Ｗが小さすぎる場合には、使用者の視界に入ったとしても、使用者が異物として認識することができないために、頭部の姿勢の矯正の効果が低くなる。一方、幅Ｗが大きすぎる場合には、次に説明するレンズ１０の下領域１０が狭められて、日常生活、例えば、階段の昇降等に支障をきたすおそれがある。なお、この幅Ｗの好適な寸法については、使用者の個人差があると考えられるため、使用者に合わせて適宜に設定するとよい。さらに、上述のシート状部材３１の上下方向の位置についても、一般的な基準として、上述のように、上端３１ａがレンズ１０の中心ＣからＡの位置に設定しておいて、その後の微調整は、使用者に合わせて適宜行うとよい。このような、シート状部材３１の使い勝手を考慮すると、シート状部材３１を上述のように、粘着剤３２を使用して剥離自在の構成しておくことは極めて好ましい。
【００４１】
上述のレンズ１０は、難視領域３０を形成するシート状部材３１によって、これよりも上側の上領域１０Ａと下側の下領域１０Ｂとに分けられる。すなわち、レンズ１０全体は、通常の光透過率の上領域１０Ａ及び下領域１０Ｂと、これらよりも光透過率が低い難視領域３０との３つの領域に分けられることになる。
【００４２】
次に、上述構成の姿勢矯正メガネ１の作用・効果を説明する。
難視領域３０がレンズ１０の中心Ｃよりも下側に設けられた姿勢矯正メガネ１は、頭部の上向き姿勢（下向き視線）を矯正するためのメガネである。
【００４３】
上向き姿勢の使用者が姿勢矯正メガネ１を掛けると、その視界における下方に、難視領域３０が異物として認識されて違和感を覚える。このため、使用者は違和感を軽減させるべく無意識のうちに下向き気味となる。そして、このような動作が継続される間に、上向き姿勢が矯正される。さらに、レンズ１０は、難視領域３０の上側に位置して中心Ｃを含む上領域１０Ａはもちろん、難視領域３０の下側に位置する下領域１０Ｒも通常のレンズとして作用するので、使用者の視野の範囲を通常のメガネと同様に確保することができ、例えば、レンズ１０の下端側を使用しがちな階段の昇降等において特段、支障を感じることはなく、十分な安全性を確保することできる。
＜実施形態２＞
【００４４】
図３を参照して、本発明を適用した実施形態２に係る姿勢矯正メガネ２について説明する。同図に姿勢矯正メガネ２は、下向き姿勢（上向き視線）を矯正するためのメガネである。姿勢矯正メガネ２は、レンズ１０における中心よりも上側に、左右方向に長いシート状部材３１を貼着することにより、難視領域３０を構成している。さらに詳しくは、シート状部材３１の下端３１ｂが、中心から使用者の水晶体の半径に対応する距離Ａだけ離れた位置に配置されて貼着されている。
【００４５】
本実施形態の姿勢矯正メガネ２を、下向き姿勢の使用者が掛けると、その視界における上方に、難視領域３０が異物として認識されて違和感を覚える。このため、使用者は違和感を軽減させるべく無意識のうちに上向き気味となる。そして、このような動作が継続される間に、下向き姿勢が矯正される。さらに、レンズ１０は、難視領域３０の下側に位置して中心Ｃを含む下領域１０Ｂはもちろん、難視領域３０の上側に位置する上領域１０Ａも通常のレンズとして作用するので、使用者の視野の範囲を通常のメガネと同様に確保することができ、例えば、レンズ１０の上端側も頻繁にしようする階段の昇降等において特段、支障を感じることはなく、十分な安全性を確保することできる。
＜実施形態３＞
【００４６】
図４を参照して、本発明を適用した実施形態３に係る姿勢矯正メガネ３について説明する。同図に姿勢矯正メガネ３は、右回転姿勢（左側の斜視）を矯正するためのメガネである。姿勢矯正メガネ３は、レンズ１０における中心Ｃよりも左側に、上下方向に長いシート状部材３１を貼着することにより、難視領域３０を構成している。さらに詳しくは、シート状部材３１の右端３１ｃが、中心Ｃから使用者の水晶体の半径に対応する距離Ａだけ離れた位置に配置されて貼着されている。
【００４７】
本実施形態の姿勢矯正メガネ３を、右回転姿勢の使用者が掛けると、その視界における左方に、難視領域３０が異物として認識されて違和感を覚える。このため、使用者は違和感を軽減させるべく無意識のうちに左回転気味となる。そして、このような動作が継続される間に、右回転姿勢が矯正される。さらに、レンズ１０は、難視領域３０の右側に位置して中心Ｃを含む右領域１０Ｄはもちろん、難視領域３０の左側に位置する左領域１０Ｃも通常のレンズとして作用するので、使用者の視野の範囲を通常のメガネと同様に確保することができ、十分な安全性を確保することできる。
＜実施形態４＞
【００４８】
図５を参照して、本発明を適用した実施形態４に係る姿勢矯正メガネ４について説明する。同図に姿勢矯正メガネ４は、左回転姿勢（右側の斜視）を矯正するためのメガネである。姿勢矯正メガネ４は、レンズ１０における中心Ｃよりも右側に、上下方向に長いシート状部材３１を貼着することにより、難視領域３０を構成している。さらに詳しくは、シート状部材３１の左端３１ｄが、中心から使用者の水晶体の半径に対応する距離Ａだけ離れた位置に配置されて貼着されている。
【００４９】
本実施形態の姿勢矯正メガネ４を、左回転姿勢の使用者が掛けると、その視界における右方に、難視領域３０が異物として認識されて違和感を覚える。このため、使用者は違和感を軽減させるべく無意識のうちに右回転気味となる。そして、このような動作が継続される間に、右回転姿勢が矯正される。さらに、レンズ１０は、難視領域３０の左側に位置して中心Ｃを含む左領域１０Ｃはもちろん、難視領域３０の右側に位置する右領域１０Ｄも通常のレンズとして作用するので、使用者の視野の範囲を通常のメガネと同様に確保することができ、十分な安全性を確保することできる。
【００５０】
以上の実施形態１〜４では、この順に、上向き姿勢、下向き姿勢、右回転姿勢、左回転姿勢を矯正する姿勢矯正メガネ１〜４について説明したが、これらの難視領域３０を組み合わせて、さらに別のかぎ形の難視領域を有する姿勢矯正メガネを作製することも可能である。例えば、実施形態１と実施形態３の難視領域３０を組み合わせれば、上向き姿勢かつ右回転姿勢を矯正する姿勢矯正メガネを作製できる。また、実施形態１と実施形態４の難視領域３０を組み合わせれば、上向き姿勢かつ左回転姿勢を矯正する姿勢矯正メガネを作製できる。また、実施形態２と実施形態３の難視領域３０を組み合わせれば、下向き姿勢かつ右回転姿勢を矯正する姿勢矯正メガネを作製できる。また、実施形態２と実施形態４の難視領域３０を組み合わせれば、下向き姿勢かつ左回転姿勢を矯正する姿勢矯正メガネを作製できる。
【００５１】
なお、左右方向に長い難視領域３０と上下方向に長い難視領域３０とを組み合わせてかぎ形の難視領域を形成するのに代えて、斜めに傾斜した難視領域を形成するようにしてもよい。例えば、図１に示す横長の難視領域３０と図４に示す縦長の難視領域３０とを形状的にかぎ形に組み合わせるのではなく、これらの作用を考慮して、例えば、レンズ１０の中心に対して左斜め４５度下方の、Ａだけ離れた位置に、４５度傾斜した状態の難視領域３０Ａ（図４の二点鎖線参照）を設けるようにしてもよい。この場合も、上向き姿勢かつ右回転姿勢を矯正することができる。
【００５２】
以上の実施形態１〜４においては、難視領域３０を構成するシート状部材３１を、レンズ１０における背面側の表面１２に粘着剤３２を使用して貼着する例を説明した。ところで、粘着剤３２には、一般に揮発性の有機溶剤が含有されていて、これが、使用者の眼に負担をかけることが考えられる。このような場合には、シート状部材３１を、レンズ１０における背面側の表面１２に代えて、正面側の表面１１に貼着するとよい。これにより、目に対する負担を軽減することができる。
【００５３】
また、以上では、難視領域３０を構成するために、シート状部材３１をレンズ１０の背面側の表面１２又は正面側の表面１１に貼着する場合を例に説明したが、これに代えて、例えば、レンズ１０の背面側の表面１２又は正面側の表面１１に直接、グラインダー等を使用して、粗面加工を施し、この粗面によって難視領域を構成するようにしてもよい。この場合には、シート状部材３１と異なり、経時変化に伴う物理的な劣化がほとんどないので、例えば、劣化に伴うシート状部材３１の交換といった煩雑な作業を行う必要がない。
【００５４】
また、以上では、難視領域３０が帯状に形成されている場合を例に説明したが、難視領域３０の形状に関しては、比較的自由度が高い。例えば、楕円形、長方形、ダイヤモンド形等の形状とすることも可能である。ただし、いずれの形状を採用した場合でも、使用者がその視野の中に異物として認識し、違和感を覚えるものとし、また、これらの形状を、実施形態１，２では横長に、また、実施形態３，４では縦長に使用することが好ましい。
【符号の説明】
【００５５】
１  実施形態１の姿勢矯正メガネ
２  実施形態２の姿勢矯正メガネ
３  実施形態３の姿勢矯正メガネ
４  実施形態４の姿勢矯正メガネ
１０  レンズ
１０Ａ  上領域
１０Ｂ  下領域
１０Ｃ  左領域
１０Ｄ  右領域
１１  レンズの正面側の表面
１２  レンズの裏面側の表面
２０  フレーム
３０  難視領域
３１  シート状部材
３２  粘着剤
Ａ  水晶体の半径に相当する距離
Ｓ  水晶体
【図１】
2012073485.tif 000003
【図２】
2012073485.tif 000004
【図３】
2012073485.tif 000005
【図４】
2012073485.tif 000006
【図５】
2012073485.tif 000007